(57)【特許請求の範囲】
【請求項１】
第一方向に沿って長い形状を有し、かつ前記第一方向に直交する第二方向に距離をあけて互いに平行に並んだ複数の凸条部を備えた凹凸屋根材であって、
前記複数の凸条部のそれぞれは、
前記第二方向における第一側に位置する第一側板と、
前記第二方向における前記第一側とは反対の第二側に位置する第二側板と、
前記第一側板と前記第二側板の互いの端縁を繋ぐ天板と、を含み、
前記第一側板の前記第一方向における第一側の端部は、その端縁から凹んだ凹部を備え、
前記第二側板の前記第一方向における前記第一側の端部は、その端縁から切り欠かれた一対のスリットを備えることを特徴とする凹凸屋根材。
【請求項２】
前記第二側板の内面のうち前記一対のスリットの奥側には、パッキンが設けられていることを特徴とする請求項１に記載の凹凸屋根材。
【請求項３】
前記複数の凸条部を挟むように前記第二方向の両端に位置する水返し用の一対の起立片を、さらに備え、
前記一対の起立片の一方においては、前記第一方向における前記第一側の端部が、その他の部分よりも一段低く設けられていることを特徴とする請求項１または２に記載の凹凸屋根材。
【請求項４】
前記第一側板の前記第一方向における前記第一側とは反対の第二側の端部は、その端縁から切り欠かれた一対の第二スリットを備え、
前記第二側板の前記第一方向における前記第二側の端部は、その端縁から凹んだ第二凹部を備えることを特徴とする請求項１乃至３のいずれか１項に記載の凹凸屋根材。
【請求項５】
第一凹凸屋根材と、前記第一凹凸屋根材の屋根勾配方向の水上側に位置する第二凹凸屋根材とが、互いの一部が重なるように接続される接続構造であって、
前記第一凹凸屋根材と前記第二凹凸屋根材のそれぞれは、
前記屋根勾配方向に沿って長い形状を有し、かつ前記屋根勾配方向に直交する軒方向に距離をあけて互いに平行に並んだ複数の凸条部を備え、
前記複数の凸条部のそれぞれは、
前記軒方向における第一側に位置する第一側板と、
前記軒方向における前記第一側とは反対の第二側に位置する第二側板と、
前記第一側板と前記第二側板の互いの上端縁を繋ぐ天板と、を含み、
前記第一凹凸屋根材の前記第一側板の水上側の端部は、その端縁から切り欠かれた一対のスリットを備え、
前記第二凹凸屋根材の前記第一側板の水下側の端部は、その端縁から凹んだ凹部を備え、
前記第一凹凸屋根材の水上側の端部の上に、前記第二凹凸屋根材の水下側の端部が重なり、前記第一凹凸屋根材の前記一対のスリットに、前記第二凹凸屋根材の前記第一側板の前記凹部の底部分が差し込まれた状態で、前記第一凹凸屋根材と前記第二凹凸屋根材とが接続されていることを特徴とする凹凸屋根材の接続構造。
【請求項６】
前記第一凹凸屋根材の前記第一側板の内面うち前記一対のスリットの奥側には、前記第二凹凸屋根材の前記第一側板の前記凹部の底部分が当たるパッキンを備えることを特徴とする請求項５に記載の凹凸屋根材の接続構造。
【発明の詳細な説明】
【技術分野】
【０００１】
本発明は、凹凸屋根材、及び凹凸屋根材の接続構造に関する。
【背景技術】
【０００２】
特許文献１には、屋根勾配方向に並び、かつ一部が重なるように、２枚の凹凸屋根材を接続した接続構造が記載されている。
【０００３】
この接続構造では、水上側の凹凸屋根材と水下側の凹凸屋根材との間に、屋根下地に一部が固定された固定板を介在させ、この固定板に対して、水上側の凹凸屋根材の水下側の端部を固定している。これにより、この接続構造では、水上側の凹凸屋根材の水下側の端部が、風等により浮き上がってしまうことを抑制している。
【先行技術文献】
【特許文献】
【０００４】
【特許文献１】特開２０１５−２１４８６５号公報
【発明の概要】
【発明が解決しようとする課題】
【０００５】
しかし、特許文献１に記載の接続構造では、水上側の凹凸屋根材の水下側の端部の浮き上がりを防止するために、専用の固定板が必要であり、この分、施工に手間がかかるおそれや、製造コストが嵩むおそれがある。
【０００６】
本発明の目的は、屋根勾配方向に並び、一部が重なるように複数の凹凸屋根材を設置した際に、より簡単な構造で、凹凸屋根材の水下側の端部が風等により浮き上がることを抑制することができる凹凸屋根材、及びその接続構造を提案すること、とする。
【課題を解決するための手段】
【０００７】
本発明に係る一態様の凹凸屋根材は、第一方向に沿って長い形状を有し、かつ前記第一方向に直交する第二方向に距離をあけて互いに平行に並んだ複数の凸条部を備える。
【０００８】
前記複数の凸条部のそれぞれは、前記第二方向における第一側に位置する第一側板と、前記第二方向における前記第一側とは反対の第二側に位置する第二側板と、前記第一側板と前記第二側板の互いの端縁を繋ぐ天板と、を含む。
【０００９】
前記第一側板の前記第一方向における第一側の端部は、その端縁から凹んだ凹部を備え、前記第二側板の前記第一方向における前記第一側の端部は、その端縁から切り欠かれた一対のスリットを備える。
【００１０】
また、本発明に係る一態様の凹凸屋根材の接続構造は、第一凹凸屋根材と、前記第一凹凸屋根材の屋根勾配方向の水上側に位置する第二凹凸屋根材とが、互いの一部が重なるように接続される接続構造である。
【００１１】
前記第一凹凸屋根材と前記第二凹凸屋根材のそれぞれは、前記屋根勾配方向に沿って長い形状を有し、かつ前記屋根勾配方向に直交する軒方向に距離をあけて互いに平行に並んだ複数の凸条部を備える。
【００１２】
前記複数の凸条部のそれぞれは、前記軒方向における第一側に位置する第一側板と、前記軒方向における前記第一側とは反対の第二側に位置する第二側板と、前記第一側板と前記第二側板の互いの上端縁を繋ぐ天板と、を含む。
【００１３】
前記第一凹凸屋根材の前記第一側板の水上側の端部は、その端縁から切り欠かれた一対のスリットを備え、前記第二凹凸屋根材の前記第一側板の水下側の端部は、その端縁から凹んだ凹部を備える。
【００１４】
前記第一凹凸屋根材の水上側の端部の上に、前記第二凹凸屋根材の水下側の端部が重なり、前記第一凹凸屋根材の前記一対のスリットに、前記第二凹凸屋根材の前記第一側板の前記凹部の底部分が差し込まれた状態で、前記第一凹凸屋根材と前記第二凹凸屋根材とが接続されている。
【発明の効果】
【００１５】
本発明に係る凹凸屋根材、及び凹凸屋根材の接続構造は、屋根勾配方向に並び、一部が重なるように複数の凹凸屋根材を設置した際に、より簡単な構造で、凹凸屋根材の水下側の端部が風等により浮き上がることを抑制することができる。
【図面の簡単な説明】
【００１６】
【図１】図１は、実施形態１の凹凸屋根材を示す斜視図である。
【図２】図２は、同上の凹凸屋根材を示す他の斜視図である。
【図３】図３は、実施形態１の凹凸屋根材の接続構造を示す斜視図である。
【図４】図４は、同上の接続構造の分解斜視図である。
【図５】図５は、図３の接続構造を示す他の斜視図である。
【図６】図６は、同上の接続構造の分解斜視図である。
【図７】図７は、実施形態２の凹凸屋根材を示す斜視図である。
【図８】図８は、同上の凹凸屋根材を示す他の斜視図である。
【発明を実施するための形態】
【００１７】
（実施形態１）
図１及び図２に示す実施形態１の凹凸屋根材は、金属製の縦葺き屋根材であり、住宅家屋の屋根に用いられる。凹凸屋根材は、野地板等の屋根下地の上に設置される。
【００１８】
凹凸屋根材は、複数の凸条部１と、複数の底板部２と、水返し用の一対の起立片３を備える。複数の凸条部１は、第一方向Ｄ１に沿って長い形状を有し、かつ第一方向Ｄ１に直交する第二方向Ｄ２に距離をあけて互いに平行に並んでいる。複数の凸条部１は、第一方向Ｄ１及び第二方向Ｄ２に対して直交する第三方向Ｄ３に、高さを有する。
【００１９】
以下では、第一方向Ｄ１を前後方向とし、第二方向Ｄ２を左右方向とし、第三方向Ｄ３を上下方向として、凹凸屋根材の各構成について説明する。各図において、矢印Ｘで示す方向が前方であり、矢印Ｙで示す方向が右方であり、矢印Ｚで示す方向が上方である。
【００２０】
本実施形態の凹凸屋根材は、前後方向を長手方向とし、左右方向を短手方向（幅方向）とする屋根材である。凹凸屋根材の前後方向の長さは、トラックによる運搬が可能な長さ（例えば７ｍ以下）である。
【００２１】
一対の起立片３は、複数の凸条部１を挟むように凹凸屋根材の左右方向の両端に位置する。複数の底板部２は、複数の凸条部１のうち隣接する凸条部１間に位置する底板部２と、一対の起立片３と複数の凸条部１との間に位置する一対の底板部２とを含む。
【００２２】
本実施形態においては、凹凸屋根材は、凸条部１を３つ備え、底板部２を４つ備える。凹凸屋根材は、左側から順に、起立片３、底板部２、凸条部１、底板部２、凸条部１、底板部２、凸条部１、底板部２、及び起立片３が、左右方向に並んでおり、これらは一体に連続している。凹凸屋根材は、金属板をプレス機やロール成形機等により曲げ加工することによって形成される。
【００２３】
続いて、複数の凸条部１について、詳しく説明する。複数の凸条部１は、共通の構造を有する。そのため、以下では、複数の凸条部１のうちの１つについて説明する。
【００２４】
凸条部１は、本実施形態では、下方に開口した略半角筒状である。凸条部１は、左側（第二方向Ｄ２における第一側）に位置する第一側板４と、右側（第二方向Ｄ２における第一側とは反対の第二側）に位置する第二側板５と、第一側板４と第二側板５の互いの上側の端縁を繋ぐ天板６を含む。第一側板４と第二側板５とは、左右方向に距離をおいて位置する。
【００２５】
天板６の左端に、第一側板４の上端が連続し、天板６の右端に、第二側板５の上端が連続している。第一側板４の下端は、その左側に隣接する底板部２の右端に連続している。第二側板５の下端は、その右側に隣接する底板部２の左端に連続している。
【００２６】
第一側板４の後端部（第一方向Ｄ１における第一側の端部）は、その後側の端縁から前方に凹んだ凹部７を備える。凹部７は、本実施形態では、第一側板４の後端部に上下方向の全長に亘って位置している。すなわち、第一側板４の後端部は、その全体が切除されている。
【００２７】
第二側板５の後端部（第一方向Ｄ１における第一側の端部）は、その後側の端縁から前方に切り欠かれた形状の一対のスリット８を備える。本実施形態では、一対のスリット８は、互いに平行であり、第二側板５の後端部の上下方向の両端に位置する。一対のスリット８は、前後方向の長さＬ１が互いに同じである。スリット８の前後方向の長さＬ１は、凹部７の前後方向の長さＬ２よりも短い。
【００２８】
第二側板５の内面（つまり第二側板５の左面）のうち、一対のスリット８の奥側（つまり前側）には、パッキン９が設けられている。パッキン９は、第二側板５の内面に、上下方向の全長に亘って位置している。
【００２９】
パッキン９は、本実施形態では、第二側板５の内面の一対のスリット８よりも奥側の部分から、一対のスリット８の底の領域に一部がはみ出すように設けられる。なお、パッキン９は、一対のスリット８の底の領域にはみ出さないように、つまり、一対のスリット８の底縁（つまり前縁）とパッキン９の後縁とが並ぶように設けられてもよい。
【００３０】
本実施形態では、複数の凸条部１は、左右方向に等間隔に距離をおいて位置する。
【００３１】
続いて、複数の底板部２について説明する。複数の底板部２は、共通の構造を有する。そのため、以下では、複数の底板部２のうちの１つについて説明する。
【００３２】
底板部２は、前後方向に長い矩形板状である。底板部２の前後方向の長さは、凸条部１の前後方向の長さと同じである。底板部２の左右方向の長さは、凸条部１の左右方向の長さよりも若干長い。
【００３３】
本実施形態では、複数の底板部２は、左右方向に等間隔に距離をおいて位置する。
【００３４】
続いて、一対の起立片３について、詳しく説明する。
【００３５】
一対の起立片３は、複数の凸条部１の左側に位置する第一起立片３００と、複数の凸条部１の右側に位置する第二起立片３０１とで構成される。第一起立片３００の後端部（第一方向Ｄ１における第一側の端部）は、第一起立片３００の他の部分よりも上端が一段低く設けられている。
【００３６】
各起立片３００，３０１は、底板部２の左右方向外側の端縁から上方に突出した突片部３０と、突片部３０の先端から底板部２に向けて斜め下方に突出した水返し片部３１とを備える。水返し片部３１は、その先端部が突片部３０側に折り返された形状となっている。
【００３７】
左側の第一起立片３００においては、その後端部が、突片部３０の下半部のみで構成されている。ここで、突片部３０の下半部とは、本実施形態では、突片部３０のうち水返し片部３１よりも下方の部分である。これにより、左側の第一起立片３００においては、その後端部が、その他の部分よりも上端が一段低く設けられている。
【００３８】
第一起立片３００の一段低く設けられた後端部の前後方向の長さＬ３は、スリット８の前後方向の長さＬ１と凹部７の前後方向の長さＬ２の合計の長さと略同じである。
【００３９】
なお、右側の第二起立片３０１においては、長手方向に亘って断面形状が一定であり、すなわち、第二起立片３０１の後端部は、第二起立片３０１のその他の部分よりも上端が一段低く設けられていない。
【００４０】
本実施形態では、凹凸屋根材は、その後端部にのみ、凹部７と一対のスリット８と一段低く設けられた部分とパッキン９を備え、前端部には、これらの構成を備えていない。そのため、凹凸屋根材は、後端部を除いた残りの部分の断面形状が、長手方向に亘って一定である。
【００４１】
以上説明した凹凸屋根材は、屋根下地上に、各凸条部１の長手方向が屋根下地の屋根勾配方向Ｄ４に対して平行となり、各凸条部１の幅方向が屋根勾配方向Ｄ４に対して直交する軒方向Ｄ５に対して平行となる姿勢で、設置される（図３参照）。屋根下地上には、上述した凹凸屋根材が複数、屋根勾配方向Ｄ４に並び、かつ互いの一部が重なるように接続されて設置される。
【００４２】
続いて、上述した凹凸屋根材が２つ、屋根勾配方向Ｄ４に並び、かつ互いの一部が重なるように接続された接続構造について、図３〜図６を基に説明する。
【００４３】
以下では、屋根勾配方向Ｄ４に並ぶ２つの凹凸屋根材のうち、屋根勾配方向Ｄ４の水下側に位置する凹凸屋根材を、第一凹凸屋根材Ｒ１と記載し、屋根勾配方向Ｄ４の水上側に位置する凹凸屋根材を、第二凹凸屋根材Ｒ２と記載する。図３〜図６においては、矢印Ｘで示す方向が、屋根勾配方向Ｄ４の水上側であり、矢印Ｙで示す方向が、右側（軒方向Ｄ５における第二側）であり、矢印Ｚで示す方向が、上方である。
【００４４】
まず、第一凹凸屋根材Ｒ１について説明する。
【００４５】
第一凹凸屋根材Ｒ１は、図１及び図２に示す凹凸屋根材を、ＸＹ平面上で１８０度回転させた屋根材と同じ構造である。図４及び図６に示すように、第一凹凸屋根材Ｒ１では、複数の凸条部１は、屋根勾配方向Ｄ４に長い形状を有し、かつ軒方向Ｄ５に距離をあけて互いに平行に並ぶ。
【００４６】
複数の凸条部１のそれぞれは、左側（軒方向Ｄ５における第一側）に位置する第一側板４と、右側（軒方向Ｄ５における第一側とは反対の第二側）に位置する第二側板５と、第一側板４と第二側板５の互いの上端縁を繋ぐ天板６とを含む。
【００４７】
第一凹凸屋根材Ｒ１では、第一側板４の水上側の端部が、その水上側の端縁から切り欠かれた一対のスリット８を備える。第二側板５の水上側の端部が、その水上側の端縁から凹んだ凹部７を備える。第一側板４の内面（第一側板４の右面）には、一対のスリット８の奥側に、パッキン９が設けられている。第一凹凸屋根材Ｒ１では、一対の起立片３のうち、右側の起立片３の水上側の端部が、この水上側の端部を除いた残りの部分よりも上端が一段低く設けられている。
【００４８】
次いで、第二凹凸屋根材Ｒ２について説明する。
【００４９】
第二凹凸屋根材Ｒ２は、図１及び図２に示す凹凸屋根材と同じ構造である。図４及び図６に示すように、第二凹凸屋根材Ｒ２では、複数の凸条部１は、屋根勾配方向Ｄ４に長い形状を有し、かつ軒方向Ｄ５に距離をあけて互いに平行に並ぶ。
【００５０】
複数の凸条部１のそれぞれは、左側（軒方向Ｄ５における第一側）に位置する第一側板４と、右側（軒方向Ｄ５における第一側とは反対の第二側）に位置する第二側板５と、第一側板４と第二側板５の互いの上端縁を繋ぐ天板６とを含む。
【００５１】
第二凹凸屋根材Ｒ２では、第一側板４の水下側の端部が、その水下側の端縁から凹んだ凹部７を備え、第二側板５の水下側の端部が、その水下側の端縁から切り欠かれた一対のスリット８を備える。第二側板５の内面（第二側板５の左面）には、一対のスリット８の奥側に、パッキン９が設けられている。第二凹凸屋根材Ｒ２では、一対の起立片３のうち、左側の起立片３の水下側の端部が、この水下側の端部を除いた残りの部分よりも上端が一段低く設けられている。
【００５２】
本実施形態では、第一凹凸屋根材Ｒ１と第二凹凸屋根材Ｒ２は、互いに点対称な構造である。
【００５３】
次いで、図３及び図５に示す第一凹凸屋根材Ｒ１と第二凹凸屋根材Ｒ２の接続構造について、詳しく説明する。
【００５４】
凹凸屋根材Ｒ１，Ｒ２の接続構造は、例えば、以下のようにして施工される。
【００５５】
まず、屋根下地上に、第一凹凸屋根材Ｒ１が設置される。次いで、第一凹凸屋根材Ｒ１の水上側の端部の上に、第二凹凸屋根材Ｒ２の水下側の端部が重ねられる。
【００５６】
このとき、第二凹凸屋根材Ｒ２は、各凸条部１の凹部７の底縁が、第一凹凸屋根材Ｒ１の各凸条部１の一対のスリット８の水上側に隣接して位置するように、配される。
【００５７】
次いで、第一凹凸屋根材Ｒ１の各凸条部１の一対のスリット８間の部分８０を少し左側に開きながら、第二凹凸屋根材Ｒ２を水下側へとスライドさせる。このとき、第二凹凸屋根材Ｒ２は、各凸条部１の第一側板４の凹部７の底縁が、第一凹凸屋根材Ｒ１の各凸条部１の一対のスリット８の奥側のパッキン９に突き当たる位置まで、スライドさせる。
【００５８】
これにより、第一凹凸屋根材Ｒ１の各凸条部１の一対のスリット８に、第二凹凸屋根材Ｒ２の各凸条部１の第一側板４の凹部７の底部分が差し込まれる。また、第一凹凸屋根材Ｒ１の各凸条部１の第二側板５の凹部７は、第二凹凸屋根材Ｒ２の各凸条部１の第二側板５の一対のスリット８よりも奥側の部分で覆われる。また、第一凹凸屋根材Ｒ１の各凸条部１の第二側板５の凹部７の底縁は、第二凹凸屋根材Ｒ２の各凸条部１の第二側板５の一対のスリット８の奥側のパッキン９に突き当たる。
【００５９】
また、第一凹凸屋根材Ｒ１の一対の起立片３の水上側の端部の左右方向内側には、第二凹凸屋根材Ｒ２の一対の起立片３の水下側の端部が重なる。このとき、この凹凸屋根材Ｒ１，Ｒ２の起立片３同士が重なる部分では、一方の起立片３のみが水返し片部３１を備えるため、起立片３の変形を抑制することができる。
【００６０】
上記の手順等で施工される本実施形態の凹凸屋根材の接続構造では、第一凹凸屋根材Ｒ１の水上側の端部の上に、第二凹凸屋根材Ｒ２の水下側の端部が重なっている。そして、この接続構造では、第一凹凸屋根材Ｒ１の一対のスリット８に、第二凹凸屋根材Ｒ２の第一側板４の凹部７の底部分が差し込まれた状態で、凹凸屋根材Ｒ１，Ｒ２が接続されている。凹凸屋根材Ｒ１，Ｒ２は、複数の凸条部１のそれぞれが、一対一に接続されている。第二凹凸屋根材Ｒ２の複数の底板部２のそれぞれの水下側の端部は、第一凹凸屋根材Ｒ１の複数の底板部２のそれぞれの水上側の端部の上に、一対一に重ねられている。
【００６１】
ここで、凹凸屋根材Ｒ１，Ｒ２は、スリット８の前後方向の長さＬ１と凹部７の前後方向の長さＬ２の合計の長さと同じ長さの重ね代で、接続されている。この重ね代は、凹凸屋根材Ｒ１，Ｒ２の起立片３の一段低く設けられた部分の前後方向の長さＬ３と略同じである。
【００６２】
第二凹凸屋根材Ｒ２の第二側板５の一対のスリット８は、第一凹凸屋根材Ｒ１の第二側板５の凹部７の底部分の上に重なり、凹部７に対して連通していない。また、第二凹凸屋根材Ｒ２の各凹部７は、その内側（右側）に、第一凹凸屋根材Ｒ１の第一側板４の一対のスリット８よりも奥側の部分が位置し、第一凹凸屋根材Ｒ１の一対のスリット８に対して連通していない。
【００６３】
以上説明した凹凸屋根材Ｒ１，Ｒ２の接続構造においては、第二凹凸屋根材Ｒ２の第一側板４の凹部７の底部分の外側（左側）に、第一凹凸屋根材Ｒ１の第一側板４の一対のスリット８間の部分８０が位置する。これにより、第二凹凸屋根材Ｒ２の水下側の端部の一部の上に、第一凹凸屋根材Ｒ１の構成の一部が重なって位置することとなり、第二凹凸屋根材Ｒ２の水下側の端部が風等によって浮き上がることを、第一凹凸屋根材Ｒ１によって抑制することができる。
【００６４】
また、上述した接続構造においては、第二凹凸屋根材Ｒ２の第一側板４の凹部７の底部分を、第一凹凸屋根材Ｒ１の第一側板４の一対のスリット８に差し込むようにしたことで、重ね代を確保したうえで、一対のスリット８の長さを抑えることができる。これにより、一対のスリット８間の部分８０が、第二凹凸屋根材Ｒ２の第一側板４から離れる方向に変形し、止水性が低下すること抑制される。
【００６５】
また、上述した接続構造においては、２つの凹凸屋根材Ｒ１，Ｒ２は、それぞれの一対の起立片３が、水返し片部３１同士が左右方向に重ならない状態で接続される。したがって、２つの凹凸屋根材Ｒ１，Ｒ２の接続の際に、それぞれの一対の起立片３が変形することが抑制される。
【００６６】
（変形例）
以上説明した実施形態１の凹凸屋根材及び凹凸屋根材の接続構造は、下記の変形例を採用可能である。
【００６７】
凹凸屋根材の複数の凸条部１は、その全てではなくその一部が、第一側板４に凹部７を備え、第二側板５に一対のスリット８を備えてもよい。
【００６８】
凹凸屋根材の各凸条部１における凹部７と一対のスリット８の位置は、反対であってもよい。
【００６９】
凹凸屋根材の各第二側板５における一対のスリット８の位置は、各第二側板５の下端と上端に限らず、各第二側板５の下端と下端よりも上方の任意の部分であってもよい。また、凹凸屋根材の各第一側板４における凹部７は、その上縁の位置が、一対のスリット８間の部分の上端の位置と同じかそれよりも上方に位置すればよく、一対のスリット８の配置によっては、各第一側板４に上下方向の一部に位置してもよい。
【００７０】
凹凸屋根材の各凸条部１の第二側板５の内面には、パッキン９が設けられなくてもよい。
【００７１】
凹凸屋根材は、水返し用の一対の起立片３を備えなくてもよい。
【００７２】
凹凸屋根材の複数の凸条部１は、第二方向Ｄ２に互いに異なる距離をあけて平行に並んでもよい。
【００７３】
凹凸屋根材の複数の凸条部１のそれぞれの幅寸法は、互いに異なってもよい。
【００７４】
第一凹凸屋根材Ｒ１と第二凹凸屋根材Ｒ２は、図１に示す凹凸屋根材と同様の構造でなくてもよく、第一凹凸屋根材Ｒ１の各第二側板５は、凹部７を備えなくてもよく、第二凹凸屋根材Ｒ２の各第二側板５は、一対のスリット８を備えなくてもよい。
【００７５】
第一凹凸屋根材Ｒ１と第二凹凸屋根材Ｒ２は、複数の凸条部１同士の配置が対応していればよく、その上で、それぞれの複数の凸条部１は、軒方向Ｄ５に互いに異なる距離をあけて平行に並んでもよいし、幅寸法が互いに異なってもよい。
【００７６】
第一凹凸屋根材Ｒ１の一対の起立片３の水上側の端部と、第二凹凸屋根材Ｒ２の一対の起立片３の水下側の端部とは、互いに重なる２つの起立片３のうちの一方が、他の部分よりも上端が一段低く設けられていればよい。例えば、第一凹凸屋根材Ｒ１の一対の起立片３の両方の水上側の端部が、他の部分よりも上端が一段低く設けられてもよいし、第二凹凸屋根材Ｒ２の一対の起立片３の両方の水下側の端部が、他の部分よりも上端が一段低く設けられてもよい。
【００７７】
第一凹凸屋根材Ｒ１と第二凹凸屋根材Ｒ２とを重ねた部分の底板部２、またはその近くの底板部２は、屋根下地に対してねじ止めされてもよい。
【００７８】
（実施形態２）
続いて、図７及び図８に示す実施形態２の凹凸屋根材について説明する。なお、実施形態１の凹凸屋根材と同様の構成については、図中に同一の符号を付して詳しい説明を省略し、異なる構成については、詳しく説明する。
【００７９】
実施形態２の凹凸屋根材は、複数の凸条部１それぞれの第一側板４の前端部（第一方向Ｄ１の第一側とは反対の第二側）に、その前側の端縁から切り欠かれた一対の第二スリット１０をさらに備える。また、凹凸屋根材は、複数の凸条部１それぞれの第二側板５の前端部（第一方向Ｄ１の第一側とは反対の第二側）に、その前側の端縁から凹んだ第二凹部１１をさらに備える。
【００８０】
一対の第二スリット１０は、一対のスリット８と同様の構造であり、第二凹部１１は、凹部７と同様の構造である。
【００８１】
第二凹部１１は、本実施形態では、第二側板５の前端部に上下方向の全長に亘って位置している。すなわち、第二側板５の前端部は、その全体が切除されている。
【００８２】
一対の第二スリット１０は、互いに平行であり、第一側板４の前端部の上下方向の両端に位置する。一対の第二スリット１０は、前後方向の長さＬ４が互いに同じである。第二スリット１０の前後方向の長さＬ４は、第二凹部１１の前後方向の長さＬ５よりも短い。一対の第二スリット１０の前後方向の長さＬ４は、一対のスリット８の前後方向の長さＬ１と同じであり、第二凹部１１の前後方向の長さＬ５は、凹部７の前後方向の長さＬ２と同じである。
【００８３】
第一側板４の内面（つまり第一側板４の右面）のうち、一対の第二スリット１０の奥側（つまり後側）には、パッキン９が設けられている。パッキン９は、第一側板４の内面に、上下方向の全長に亘って位置している。
【００８４】
パッキン９は、本実施形態では、第一側板４の内面の一対の第二スリット１０よりも奥側の部分から、一対の第二スリット１０の底の領域に一部がはみ出すように設けられる。なお、パッキン９は、一対の第二スリット１０の底の領域にはみ出さないように、つまり、一対の第二スリット１０の底縁（つまり後縁）とパッキン９の前縁とが並ぶように設けられてもよい。
【００８５】
また、凹凸屋根材は、一対の起立片３のうちの一方（本実施形態では右側の起立片３）の前端部が、この前端部を除いた残りの部分よりも上端が一段低く設けられている。この一段低く設けられた部分の前後長さＬ６は、左側の起立片３の後端部の一段低く設けられた部分の前後長さＬ３と同じである。一段低く設けられた部分の前後長さＬ６は、第二スリット１０の前後方向の長さＬ４と第二凹部１１の前後方向の長さＬ５の合計の長さと略同じである。
【００８６】
以上説明した実施形態２の凹凸屋根材は、その構成の全体が点対称に設けられている。そのため、実施形態２の凹凸屋根材は、屋根下地上への設置にあたり、各凸条部１の長手方向が屋根下地の屋根勾配方向Ｄ４に対して平行となるように設置するだけでよく、向きの調整が容易である。
【００８７】
実施形態２の凹凸屋根材も同様に、上述した実施形態１の凹凸屋根材の接続構造を形成することができる。実施形態２の凹凸屋根材の接続構造では、水上側に位置する凹凸屋根材の水下側の端部の浮き上がりを、一対のスリット８間の部分８０や、一対に第二スリット１０間の部分１２によって、抑えることができる。
【００８８】
なお、実施形態２の凹凸屋根材は、上述した実施形態１の凹凸屋根材と組み合わせて接続構造を形成してもよい。
【００８９】
（変形例）
上述した実施形態２の凹凸屋根材は、下記の変形例を採用可能である。
【００９０】
実施形態２の凹凸屋根材は、点対称な形状に設けられなくてもよい。つまり、第二凹部１１の前後方向の長さＬ５は、凹部７の前後方向の長さＬ２に対して異なってもよく、一対の第二スリット１０の前後方向の長さＬ４は、一対のスリット８の前後方向の長さＬ１に対して異なってもよい。
【００９１】
また、実施形態２の凹凸屋根材は、上述した実施形態１の凹凸屋根材の変形例と同様の変形例も採用可能である。
【００９２】
（各実施形態の効果）
以上説明した実施形態１及び２の凹凸屋根材は、下記の第一の構成を備えることを特徴とする。
【００９３】
すなわち、実施形態１及び２の凹凸屋根材は、第一方向Ｄ１に沿って長い形状を有し、かつ第一方向Ｄ１に直交する第二方向Ｄ２に距離をあけて互いに平行に並んだ複数の凸条部１を備える。
【００９４】
複数の凸条部１のそれぞれは、第二方向Ｄ２における第一側に位置する第一側板４と、第二方向Ｄ２における前記第一側とは反対の第二側に位置する第二側板５と、第一側板４と第二側板５の互いの端縁を繋ぐ天板６と、を含む。
【００９５】
第一側板４の第一方向Ｄ１における第一側の端部は、その端縁から凹んだ凹部７を備え、第二側板５の第一方向Ｄ１における前記第一側の端部は、その端縁から切り欠かれた一対のスリット８を備える。
【００９６】
したがって、実施形態１及び２の凹凸屋根材は、屋根勾配方向Ｄ４に並び、かつ互いの一部が重なるように２枚設置する際に、水上側の凹凸屋根材の第一側板４の凹部７の底部分を、水下側の凹凸屋根材の一対のスリット８に差し込むことができる。
【００９７】
これにより、水上側の凹凸屋根材の水下側の端部が、風等によって浮き上がることを、水下側の凹凸屋根材との接続によって抑制することができ、従来例のような浮き上がりを防止するための専用の固定板が必要とならず、接続構造の簡素化を図れる。
【００９８】
また、水上側の凹凸屋根材の第一側板４に端縁から凹んだ凹部７を設け、この凹部７の底部分を、水下側の凹凸屋根材の一対のスリット８に差し込むようにしたことで、重ね代を確保したうえで、一対のスリット８を短くできる。これにより、実施形態１及び２の凹凸屋根材は、一対のスリット８間の部分８０が拡がりにくく、この部分を通じて凸条部１内へ雨水が浸入することを抑制することができる。
【００９９】
また、実施形態１及び２の凹凸屋根材は、さらに、下記の第二の構成を付加的に備える。
【０１００】
すなわち、実施形態１及び２の凹凸屋根材は、第二側板５の内面のうち一対のスリット８の奥側には、パッキン９が設けられている。
【０１０１】
したがって、実施形態１及び２の凹凸屋根材は、屋根勾配方向Ｄ４に並ぶように２枚設置する際に、水上側の凹凸屋根材の第一側板４の凹部７の底部分を、パッキン９に当てて、この部分からの凸条部１内への雨水の浸入を抑制することができる。
【０１０２】
また、実施形態１及び２の凹凸屋根材は、さらに、下記の第三の構成を付加的に備える。
【０１０３】
すなわち、実施形態１及び２の凹凸屋根材は、複数の凸条部１を挟むように第二方向Ｄ２の両端に位置する水返し用の一対の起立片３を、さらに備える。一対の起立片３の一方においては、第一方向Ｄ１における前記第一側の端部が、その他の部分よりも一段低く設けられている。
【０１０４】
したがって、実施形態１及び２の凹凸屋根材は、屋根勾配方向に並ぶように２枚設置する際に、起立片３同士の重ね合わせ部分において、両起立片３の上端部同士が重ならず、上端部に内側に向けて突出する水返し用の片を設けても邪魔にならない。
【０１０５】
また、実施形態２の凹凸屋根材は、さらに、下記の第四の構成を付加的に備える。
【０１０６】
すなわち、実施形態２の凹凸屋根材は、第一側板４の第一方向Ｄ１における前記第一側とは反対の第二側の端部は、その端縁から切り欠かれた一対の第二スリット１０を備える。第二側板５の第一方向Ｄ１における前記第二側の端部は、その端縁から凹んだ第二凹部１１を備える。
【０１０７】
したがって、実施形態２の凹凸屋根材は、屋根勾配方向Ｄ４に並ぶように２枚設置する際に、向きの制限が少なく、設置が容易である。
【０１０８】
また、実施形態１及び２の凹凸屋根材の接続構造は、下記の第五の構成を備えることを特徴とする。
【０１０９】
すなわち、実施形態１及び２の凹凸屋根材の接続構造は、第一凹凸屋根材Ｒ１と、第一凹凸屋根材Ｒ１の屋根勾配方向Ｄ４の水上側に位置する第二凹凸屋根材Ｒ２とが、互いの一部が重なるように接続される接続構造である。第一凹凸屋根材Ｒ１と第二凹凸屋根材Ｒ２のそれぞれは、屋根勾配方向Ｄ４に沿って長い形状を有し、かつ屋根勾配方向Ｄ４に直交する軒方向Ｄ５に距離をあけて互いに平行に並んだ複数の凸条部１を備える。
【０１１０】
複数の凸条部１のそれぞれは、軒方向Ｄ５における第一側に位置する第一側板４と、軒方向Ｄ５における前記第一側とは反対の第二側に位置する第二側板５と、第一側板４と第二側板５の互いの上端縁を繋ぐ天板６と、を含む。
【０１１１】
第一凹凸屋根材Ｒ１の第一側板４の水上側の端部は、その端縁から切り欠かれた一対のスリット８を備える。第二凹凸屋根材Ｒ２の第一側板４の水下側の端部は、その端縁から凹んだ凹部７を備える。
【０１１２】
第一凹凸屋根材Ｒ１の水上側の端部の上に、第二凹凸屋根材Ｒ２の水下側の端部が重なり、第一凹凸屋根材Ｒ１の一対のスリット８に、第二凹凸屋根材Ｒ２の第一側板４の凹部７の底部分が差し込まれた状態で、凹凸屋根材Ｒ１，Ｒ２が接続されている。
【０１１３】
したがって、実施形態１及び２の凹凸屋根材の接続構造では、水上側の第二凹凸屋根材Ｒ２の水下側の端部が、風等によって浮き上がることを、水下側の第一凹凸屋根材Ｒ１との接続によって抑制することができる。したがって、実施形態１及び２の凹凸屋根材の接続構造では、従来例のような浮き上がりを防止するための専用の固定板が必要とならず、接続構造の簡素化を図ることができる。
【０１１４】
また、水上側の第二凹凸屋根材Ｒ２の第一側板４に端縁から凹んだ凹部７を設け、この凹部７の底部分を、水下側の第一凹凸屋根材Ｒ１の一対のスリット８に差し込むようにしたことで、重ね代を確保したうえで、一対のスリット８を短くできる。これにより、実施形態１及び２の凹凸屋根材の接続構造は、一対のスリット８間の部分が拡がりにくく、この部分を通じて凸条部１内へ雨水が浸入することを抑制することができる。
【０１１５】
また、実施形態１及び２の凹凸屋根材の接続構造は、さらに、下記の第六の構成を付加的に備える。
【０１１６】
すなわち、実施形態１及び２の凹凸屋根材の接続構造は、第一凹凸屋根材Ｒ１の第一側板４の内面うち一対のスリット８の奥側には、第二凹凸屋根材Ｒ２の第一側板４の凹部７の底部分が当たるパッキン９を備える。
【０１１７】
したがって、実施形態１及び２の凹凸屋根材の接続構造では、水下側の第一凹凸屋根材Ｒ１の一対のスリット８から凸条部１内への雨水の浸入経路をパッキン９で塞いて、止水性の向上を図ることができる。
【０１１８】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１１９】
１      凸条部
３      起立片
４      第一側板
５      第二側板
６      天板
７      凹部
８      スリット
９      パッキン
１０    第二スリット
１１    第二凹部
Ｄ１    第一方向
Ｄ２    第二方向
Ｄ４    屋根勾配方向
Ｄ５    軒方向
【図１】
0006664097.tif 000002
【図２】
0006664097.tif 000003
【図３】
0006664097.tif 000004
【図４】
0006664097.tif 000005
【図５】
0006664097.tif 000006
【図６】
0006664097.tif 000007
【図７】
0006664097.tif 000008
【図８】
0006664097.tif 000009